(57)【要約】　　　（修正有）【課題】寄棟造りの既存住宅の小屋組を全面的に解体することなく、既存住宅よりも棟高さの低い増築部を設けることで、施工の省力化、コストダウン及び廃棄物の削減を図る小屋組の増築施工法を提供する。【解決手段】既存隅木梁の母屋受け金具に設置される母屋受け接続部と母屋接続部とを有する母屋延長金具を用い、母屋受け金具に母屋受け接続部を固定し、増築部の新規母屋を既存母屋の延長上に設置することにより、増築部側の母屋の設置方向を略９０°変更して、新規母屋を前記既存母屋と略同一面に配置した。また、既存住宅と増築部の境界部分に設置する新規谷木梁の上端部に、谷木梁設置金具の谷木梁取付け部を固定し、該谷木梁取付け部と略９０°の角度をなすと共に、既存隅木梁の立ち上がり角度に略等しい角度で立ち上がる、前記谷木梁設置金具の隅木梁取付け部を、前記既存隅木梁の長手方向中間部に固定した。【選択図】　　　図１
2004027756.tif 000002
【特許請求の範囲】
【請求項１】
寄棟造りの既存住宅の桁面の一部分に、既存住宅の既存小屋組の一部と増築部の新規小屋組の一部とを略同一面に、かつ、増築部の棟高さを既存住宅の棟高さより低く増築する際の増築工事における小屋組の増築施工法であって、
既存住宅と増築部の境界に位置する既存隅木梁に設置された母屋受け金具に設置される母屋受け接続部と該母屋受け接続部と略９０°をなす母屋接続部とを有する母屋延長金具を用い、前記母屋受け金具に前記母屋受け接続部を固定し、増築部の新規母屋を前記母屋受け金具に設置された既存母屋の延長上に設置することにより、既存住宅の増築部側の母屋の設置方向を略９０°変更して、前記増築部の新規母屋を前記既存母屋と略同一面に配置し、
既存住宅と増築部の境界部分において生じる谷部に沿って設置する新規谷木梁の上端部に、谷木梁設置金具の谷木梁取付け部を固定し、該谷木梁取付け部と略９０°の角度をなすと共に、既存隅木梁の立ち上がり角度に略等しい角度で立ち上がる、前記谷木梁設置金具の隅木梁取付け部を、前記既存隅木梁の長手方向中間部に固定することを特徴とする小屋組の増築施工法。
【請求項２】
前記既存住宅の桁側面のトラス軒先部を切除し、相隣接するトラスの軒先側の端部に、前記トラスのウエブを跨ぐウエブ跨ぎ部と、該ウエブ跨ぎ部から直角方向に突設された軒先梁接続部とを有する軒先梁接続金具を前記軒先梁接続部を相対向させてそれぞれ配設し、相対向するこれら軒先梁接続部に、軒先梁の両端部を接続することにより、既存住宅の桁側面の軒先に沿って軒先梁を新たに追加することを特徴とする請求項１に記載の小屋組の増築施工法。
【発明の詳細な説明】
【０００１】
【発明の属する技術分野】
本発明は、寄棟造りの住宅の増築時の増築工事に関し、既存住宅の小屋組を全面解体することなく増築部の小屋組を施工する小屋組の増築施工法に関する。
【０００２】
【従来の技術】
寄棟造りの既存住宅の桁面のに、一部分に増築すると、増築後では増築前と比べて、棟高さが高くなったり棟方向が変わったりして、小屋組架構全体が変わることが多い。
【０００３】
このような場合には、新しい小屋組に対応させて、既存小屋組の既存部材に別の部材を継ぎ足すか、既存部材を撤去して新規部材に交換するかして、既存小屋組の架構を変更する必要が生じる。このため、従来は、既存小屋組を全面的に解体して、新しい小屋組に施工し直していた。
【０００４】
【発明が解決しようとする課題】
しかしながら、既存小屋組を全面的に解体して、新しい小屋組に施工し直すので、多くの時間と労力を要し、施工期間が長くなるだけでなく、作業性が悪いという問題点があった。
【０００５】
また、小屋組の各構成部材が鋼等の金属からなる場合には、溶接により既存部材に別の部材を継ぎ足すことは可能であるが、作業性が悪いだけでなく、顧客が既存の住宅内で従来通り生活を営むことを考慮すると、十分な安全性を確保することが困難であるという問題点があった。
【０００６】
更に、既存小屋組を全面解体することにより、多量の産業廃棄物が発生し、これを運搬して処理するために、費用がかかるという問題点があった。
【０００７】
更にまた、前述のように、多くの場合は、増築工事中であっても顧客が既存の住宅内で生活を営むため、短期間で増築工事を終了することが望ましいが、施工期間の長期化に伴い顧客に不便を強いる期間が長くなり、顧客の負担が大きくなるという問題点があった。
【０００８】
本発明は、上記課題に鑑みてなされたものであり、寄棟造りの既存住宅の桁面の一部に増築する際の増築工事において、施工の省力化、コストダウン及び廃棄物の削減を図る小屋組の増築施工法を提供することを目的とする。
【０００９】
【課題を解決するための手段】
前記技術課題を解決するための具体的手段は、次のようなものである。すなわち、請求項１に記載する小屋組の増築施工法は、寄棟造りの既存住宅の桁面の一部分に、既存住宅の既存小屋組の一部と増築部の新規小屋組の一部とを略同一面に、かつ、増築部の棟高さを既存住宅の棟高さより低く増築する際の増築工事における小屋組の増築施工法であって、既存住宅と増築部の境界に位置する既存隅木梁に設置された母屋受け金具に設置される母屋受け接続部と該母屋受け接続部と略９０°をなす母屋接続部とを有する母屋延長金具を用い、前記母屋受け金具に前記母屋受け接続部を固定し、増築部の新規母屋を前記母屋受け金具に設置された既存母屋の延長上に設置することにより、既存住宅の増築部側の母屋の設置方向を略９０°変更して、前記増築部の新規母屋を前記既存母屋と略同一面に配置し、既存住宅と増築部の境界部分において生じる谷部に沿って設置する新規谷木梁の上端部に、谷木梁設置金具の谷木梁取付け部を固定し、該谷木梁取付け部と略９０°の角度をなすと共に、既存隅木梁の立ち上がり角度に略等しい角度で立ち上がる、前記谷木梁設置金具の隅木梁取付け部を、前記既存隅木梁の長手方向中間部に固定することを特徴としている。
【００１０】
請求項２に記載する小屋組の増築施工法は、請求項１に記載する小屋組の増築施工法において、前記既存住宅の桁側面のトラス軒先部を切除し、相隣接するトラスの軒先側の端部に、前記トラスのウエブを跨ぐウエブ跨ぎ部と、該ウエブ跨ぎ部から直角方向に突設された軒先梁接続部とを有する軒先梁接続金具を前記軒先梁接続部を相対向させてそれぞれ配設し、相対向するこれら軒先梁接続部に、軒先梁の両端部を接続することにより、既存住宅の桁側面の軒先に沿って軒先梁を新たに追加することを特徴としている。
【００１１】
【発明の実施の形態】
以下、本発明の実施形態を図面に基づいて説明する。図１に示すように、本発明の実施形態に係る小屋組増築工法は、既存住宅の桁面の一部に増築する場合であって、増築部と既存住宅の小屋組の一部が同一面にあり、且つ増築部の棟の高さが、既存住宅の棟の高さより低い場合の小屋組増築工法であり、この場合、第１に、既存住宅の増築部側の母屋の方向を、略９０°変更して、増築部側の母屋を、これと略９０°をなす既存住宅の母屋２、２１、４３、及び６５と同一面に、かつ、その延長線上に配置し、第２に、既存住宅の桁側面の軒先に沿って新規な軒先梁８４を追加し、第３に、既存住宅と増築部の間に発生する谷部に設置する新規谷木梁１２７の上端部を既存住宅の既存隅木梁３の中間部に接続することが必要となる。以下、それぞれについて、更に詳細に説明する。
【００１２】
第１に、図１に示すように、既存住宅の増築部側の母屋の設置方向を略９０°変更して増築部の新規母屋を既存住宅の既存母屋と略同一面に配置する。まず、増築部の新規軒先母屋１を既存住宅の既存軒先母屋２と略同一面に配置する。具体的には、図２に示すように、既存住宅と増築部の境界に位置する既存隅木梁３（図示せず）の軒先部に設けられた既存軒先梁４の先端に設置された軒先母屋受け金具５に軒先母屋延長金具６を固定し、該軒先母屋延長金具６に新規軒先母屋１の端部７を接続することにより、新規軒先母屋１を既存軒先母屋２の延長上に設置する。なお、本各実施の形態に示す既存隅木梁３及び既存軒先梁４は、図３に示す既存隅木梁３と同様の構成であって、２本のＣ型鋼をボルト締めで締結したものであって、既存大棟の端部から軒先の出隅に向って４５°の方向へ持ち出すように設けられている（図１参照）。
【００１３】
既存軒先母屋２は、図３に示すように、先端を所定の形状に形成した長尺の木角材であり、端部を既存軒先梁４の先端に設けられた軒先母屋受け金具５にボルトナットから構成される締結具８で締結して固定されることにより既存軒先梁４に設置されている（図１参照）。
【００１４】
軒先母屋受け金具５は、図３に示すように、中央部で略９０°の角度をなして折れ曲がり、両端部に貫通孔９が穿設された山形プレート１０と、該山形プレート１０の折曲部１１の入隅に一方の縁辺が固着された略長方形の接続プレート１２とを有している。軒先母屋受け金具５の既存軒先梁４への固定は、接続プレート１２の他方を既存軒先梁４の先端から、既存軒先梁４の２本のＣ型鋼の間に挿入し、接続プレート１２の他方を既存軒先梁４の先端にボルト締めで固定することにより行う。
【００１５】
既存軒先母屋２の軒先母屋受け金具５への固定は、図２に示すように、既存軒先母屋２の先端と増築部側の既存軒先母屋１３の先端とが略合致するように、軒先母屋受け金具５の山形プレート１０の両外側面に既存軒先母屋２の端部と増築部側の既存軒先母屋１３の端部とをそれぞれあてがい、締結具８で締結して固定することにより行う。これにより、既存軒先母屋２と増築部側の既存軒先母屋１３とが同一面に、かつ、略９０°の角度をなして既存軒先梁４の先端部に配置される。
【００１６】
新規軒先母屋１は、図３に示す既存軒先母屋２と同様に、先端を所定の形状に形成した長尺の木角材であって、端部７には貫通孔１４が穿設されている（図５参照）。
【００１７】
軒先母屋延長金具６は、図３に示すように、両端部に貫通孔１５、１６が穿設された１枚のプレートを中央部で捻るようにして略９０°の角度をなすように折り曲げて形成し、その一方を軒先母屋受け接続部１７、その他方を軒先母屋接続部１８としたものである。
【００１８】
軒先母屋延長金具６の軒先母屋受け金具５への固定は、図４に示すように、軒先母屋受け金具５の山形プレート１０の増築部側の側面に軒先母屋延長金具６の軒先母屋受け接続部１７の側面を軒先母屋受け金具５の折曲部１１と軒先母屋延長金具６の折曲部１９とが略合致するようにあてがい、軒先母屋受け金具５の山形プレート１０の貫通孔９と軒先母屋延長金具６の軒先母屋受け接続部１７の貫通孔１５とを締結具８で締結することにより行う。これにより、図４に示すように、軒先母屋延長金具６の軒先母屋接続部１８と軒先母屋受け金具５の山形プレート１０の既存軒先母屋２側の側面とが略同一面に、かつ、一直線上に配置される。
【００１９】
新規軒先母屋１の端部７の軒先母屋延長金具６への接続は、図５に示すように、軒先母屋延長金具６を軒先母屋受け金具５に固定した後、既存軒先母屋２の先端と新規軒先母屋１の先端とが略合致するように、軒先母屋延長金具６の軒先母屋接続部１８に新規軒先母屋１の端部７をあてがい、該新規軒先母屋１の端部７の貫通孔１４と軒先母屋延長金具６の軒先母屋接続部１８の貫通孔１６とを締結具８で締結することにより行う。これにより、図２に示すように、新規軒先母屋１が既存軒先母屋２の延長上に設置される。
【００２０】
以上により、図１に示すように、既存住宅の増築部側の母屋の設置方向が略９０°変更されて、新規軒先母屋１が既存軒先母屋２と同一面に配置される、即ち、既存軒先母屋２が増築部側へ延長されたこととなる。
【００２１】
次に、図１に示すように、増築部の新規第１母屋２０を既存住宅の既存第１母屋２１と同一面に配置する。具体的には、図６に示すように、既存軒先梁４の既存隅木梁３（図示せず）の方の端部に設置された第１母屋受け金具２２に第１母屋延長金具２３を固定し、該第１母屋延長金具２３に新規第１母屋２０の端部２４を接続することにより、新規第１母屋２０を既存第１母屋２１の延長上に設置することにより行う。新規第１母屋２０は、長尺の木角材であって、端部２４には貫通孔２５が穿設されている（図１０参照）。
【００２２】
既存第１母屋２１は、既存軒先母屋２と同様の構成であって、図６に示すように、端部を既存軒先梁４の所定位置に設けられた第１母屋受け金具２２に締結具８で締結して固定されることにより、既存軒先母屋２の１段上に設置されている（図１参照）。
【００２３】
第１母屋受け金具２２は、図７に示すように、斜辺が長辺に対して略４５°の角度をなす略台形の平部２６と、該平部２６の長辺から略９０°の角度をなして上向きに立ち上がり、端部に貫通孔２７が穿設された第１母屋受け部２８とを有している。第１母屋受け金具２２の既存軒先梁４への固定は溶接により行われ、２個の第１母屋受け金具２２は、各第１母屋受け部２８が既存軒先梁４の長軸線Ｌに対して対称となるように、即ち、第１母屋受け部２８どうしが略９０°の角度をなすように、既存軒先梁４の両側面に設けられている。
【００２４】
既存第１母屋２１の第１母屋受け金具２２への固定は、図６に示すように、
既存第１母屋２１の先端を既存軒先梁４の増築部側面に当接させ、既存第１母屋２１の端部を第１母屋受け金具２２の平部２６に載置し、第１母屋受け金具２２の第１母屋受け部２８に締結具８で締結することにより行う。これにより、既存第１母屋２１と増築部側の既存第１母屋２９とが同一面に、かつ、略９０°の角度をなして既存軒先梁４に配置される。
【００２５】
第１母屋延長金具２３は、図８に示すように、斜辺が長辺に対して略４５°の角度をなす略台形の蓋部３０と、該蓋部３０の短辺から略９０°の角度をなして下向きに垂れ下がり、下隅角部に貫通孔３１が穿設された第１母屋受け接続部３２とを有する第１母屋受け接続部材３３と、斜辺が長辺に対して略４５°の角度をなす略台形の底部３４と、該底部３４の短辺から略９０°の角度をなして上向きに立ち上がり、上隅角部に貫通孔３５が穿設された第１母屋接続部３６とを有する第１母屋接続部材３７と、略長方形の添え部３８と、蓋部３０の斜辺と対向する縁辺及び第１母屋受け接続部３２の縁辺に固着された略長方形の補強部３９とを有しており、添え部３８の表面に底部３４の斜辺及び第１母屋接続部３６の縁辺及び蓋部３０の斜辺を固着することにより形成したものである。
【００２６】
第１母屋延長金具２３の増築部側の第１母屋受け金具２２への固定は、図９に示すように、第１母屋延長金具２３の第１母屋受け接続部材３３を第１母屋受け金具２２の第１母屋受け部２８に上方から被せて、第１母屋受け金具２２の第１母屋受け部２８の平部２６側面に第１母屋延長金具２３の第１母屋受け接続部材３３の第１母屋受け接続部３２をあてがうとともに、既存軒先梁４の増築部側面に第１母屋延長金具２３の添え部３８の裏面をあてがい、第１母屋受け金具２２の第１母屋受け部２８に第１母屋延長金具２３の第１母屋受け接続部３２を締結具（図示せず）で締結して固定することにより行う。
【００２７】
このとき、第１母屋延長金具２３の第１母屋受け接続部材３３の折曲部の長さを、第１母屋受け金具２２の第１母屋受け部２８の上縁辺と略等しくしておくと、第１母屋延長金具２３を第１母屋受け金具２２に固定したときに、第１母屋延長金具２３の第１母屋受け接続部材３３が、既存軒先梁４と第１母屋延長金具２３の補強部３９とで挟まれた状態となるので、第１母屋延長金具２３を第１母屋受け金具２２に安定良く設置することができる（図１０参照）。
【００２８】
これにより、図１０に示すように、第１母屋延長金具２３の第１母屋接続部材３７の折曲部４０は、既存第１母屋２１の方の第１母屋受け金具２２の折曲部４１と略同一面に、かつ、その延長線上に配置される。
【００２９】
新規第１母屋２０の端部２４の第１母屋延長金具２３への接続は、図１０に示すように、第１母屋延長金具２３を第１母屋受け金具２２に固定した後、第１母屋延長金具２３の第１母屋接続部材３７に新規第１母屋２０の端部２４を載置し、該新規第１母屋２０の端部２４の貫通孔２５と第１母屋延長金具２３の第１母屋接続部３６の貫通孔３５とを締結具８で締結することにより行う。これにより、図６に示すように、新規第１母屋２０が既存第１母屋２１の延長上に設置される。
【００３０】
以上により、図１に示すように、既存住宅の増築部側の母屋の設置方向が略９０°変更されて、新規第１母屋２０が既存第１母屋２１と同一面に配置される、即ち、既存第１母屋２１が増築部側へ延長されたこととなる。
【００３１】
次に、図１に示すように、増築部の新規第２母屋４２を既存住宅の既存第２母屋４３と同一面に配置する。具体的には、図１１に示すように、既存隅木梁３と既存軒先梁４との接続部近傍に設置された第２母屋受け金具４４に第２母屋延長金具４５を固定し、該第２母屋延長金具４５に新規第２母屋４２の端部４６を接続することにより、新規第２母屋４２を既存第２母屋４３の延長上に設置する。新規第２母屋４２は、長尺の木角材であって、端部４６には貫通孔４７が穿設されている（図１５参照）。
【００３２】
既存第２母屋４３は、既存軒先母屋２及び既存第１母屋２１と同様の構成であって、図１１に示すように、端部を既存隅木梁３の既存軒先梁４との接続部近傍に設けられた第２母屋受け金具４４に締結具８で締結して固定されることにより、既存軒先母屋２の２段上に設置されている（図１参照）。
【００３３】
第２母屋受け金具４４は、図１２に示すように、互いに略９０°をなす２つの縁辺を有する略六角形の平部４８と、該各平部４８の縁辺からそれぞれ略９０°をなして上向きに立ち上がり、上端部に貫通孔４９が穿設された第２母屋受け部５０とを有している。第２母屋受け金具４４の既存隅木梁３への固定は溶接により行われ、第２母屋受け金具４４の２個の第２母屋受け部５０が互いに既存隅木梁３の長軸線Ｌに対して対称となるように既存隅木梁３の上面に設けられている。
【００３４】
既存第２母屋４３の第２母屋受け金具４４への固定は、図１１に示すように、、既存第２母屋４３の先端と増築部側の既存第２母屋５１の先端とが略合致するように、既存第２母屋４３の端部及び増築部側の既存第２母屋５１の端部をそれぞれ第２母屋受け金具４４の平部４８に載置するとともに、各第２母屋受け部５０に締結具８で締結して固定することにより行う。これにより、既存第２母屋４３と増築部側の既存第２母屋５１とが同一面に、かつ、略９０°の角度をなして既存隅木梁３に配置される。
【００３５】
第２母屋延長金具４５は、図１３に示すように、第２の実施形態の第１母屋延長金具２３と同様の構成であり、蓋部５２と貫通孔５３が穿設された第２母屋受け接続部５４とを有する第２母屋受け接続部材５５と、底部５６と貫通孔５７が穿設された第２母屋接続部５８とを有する第２母屋接続部材５９と、添え部６０と、補強部６１とを有しており、添え部６０の表面に底部５６の斜辺、第２母屋接続部５８の縁辺及び蓋部５２の斜辺を固着することにより形成したものである。
【００３６】
第２母屋延長金具４５の第２母屋受け金具４４への固定においても、図１４に示すように、第２の実施形態と同様であり、第２母屋延長金具４５の第２母屋受け接続部材５５を第２母屋受け金具４４の第２母屋受け部５０に上方から被せて、第２母屋受け金具４４の第２母屋受け部５０に第２母屋延長金具４５の第２母屋受け接続部５４を締結具（図示せず）で締結して固定することにより行う。
【００３７】
このとき、第２母屋延長金具４５の第２母屋受け接続部材５５の折曲部の長さを、第２母屋延長金具４５を第２母屋受け金具４４に固定したときの添え部６０から第２母屋受け部５０の既存隅木梁３と対向する縁辺までの距離と略等しくしておくと、第２母屋延長金具４５を第２母屋受け金具４４に固定したときに、第２母屋延長金具４５の第２母屋受け接続部材５５が、第２母屋延長金具４５の添え部６０と補強部６１とで挟まれた状態となるので、第２母屋延長金具４５を第２母屋受け金具４４に安定良く設置することができる（図１５参照）。
【００３８】
これにより、図１５に示すように、第２母屋延長金具４５の第２母屋接続部材５９の折曲部６２が既存第２母屋４３の方の折曲部６３と略同一面に、かつ、その延長線上に配置される。
【００３９】
新規第２母屋４２の端部４６の第２母屋延長金具４５への接続は、図１５に示すように、第２母屋延長金具４５を第２母屋受け金具４４に固定した後、第２母屋延長金具４５の第２母屋接続部材５９に新規第２母屋４２の端部４６を載置し、該新規第２母屋４２の端部４６の貫通孔４７と第２母屋延長金具４５の第２母屋接続部５８の貫通孔５７とを締結具８で締結することにより行う。これにより、図１１に示すように、新規第２母屋４２が既存第２母屋４３の延長上に設置される。
【００４０】
以上により、図１に示すように、既存住宅の増築部側の母屋の設置方向が略９０°変更されて、新規第２母屋４２が既存第２母屋４３と同一面に配置される、即ち、既存第２母屋４３が増築部側へ延長されたこととなる。
【００４１】
次に、図１に示すように、増築部の新規一般母屋６４を既存住宅の既存一般母屋６５と同一面に配置する。具体的には、図１６に示すように、既存隅木梁３に設置された一般母屋受け金具６６に一般母屋延長金具６７を固定し、該一般母屋延長金具６７に新規一般母屋６４の端部６８を接続することにより、新規一般母屋６４を既存一般母屋６５の延長上に設置する。なお、新規一般母屋６４は、長尺の木角材であって、端部６８には貫通孔６９が穿設されている（図２０参照）。
【００４２】
既存一般母屋６５は、既存軒先母屋２、既存第１母屋２１及び既存第２母屋４３と同様の構成であって、図１６に示すように、端部を既存隅木梁３に設けられた一般母屋受け金具６６に締結具８で締結して固定されることにより、既存軒先母屋２の３段以上に設置されている（図１参照）。
【００４３】
一般母屋受け金具６６は、図１７に示すように、第３の実施形態の第２母屋受け金具４４と同様の構成であり、互いに略９０°をなす２つの縁辺を有する略六角形の平部７０と、該各平部７０の縁辺からそれぞれ略９０°をなして上向きに立ち上がり、上端部に貫通孔７１が穿設された一般母屋受け部７２とを有している。一般母屋受け金具６６の既存隅木梁３への固定は溶接により行われ、一般母屋受け金具６６の２個の一般母屋受け部７２が互いに既存隅木梁３の長軸線Ｌに対して対称となるように既存隅木梁３の上面に設けられている。
【００４４】
既存一般母屋６５の一般母屋受け金具６６への固定も、図１６に示すように、第３の実施形態と同様に、既存一般母屋６５の端部及び増築部側の既存一般母屋７３の端部をそれぞれ一般母屋受け金具６６の平部７０に載置するとともに、各一般母屋受け部７２に締結具８で締結して固定することにより行う。これにより、既存一般母屋６５と増築部側の既存一般母屋７３とが同一面に、かつ、略９０°の角度をなして既存隅木梁３に配置される。
【００４５】
一般母屋延長金具６７は、図１８に示すように、斜辺が長辺に対して略４５°の角度をなし、上隅角部に貫通孔７４が穿設された略台形の一般母屋受け接続部７５と、略長方形状の底部７６と、該底部７６の長辺から略９０°の角度をなして上向きに立ち上がり、上隅角部に貫通孔７７が穿設された斜辺が長辺に対して略４５°の角度をなす略台形の一般母屋接続部７８とを有する一般母屋接続部材７９と、一般母屋受け接続部７５の斜辺と対向する縁辺に固着された補強部８０とを有しており、一般母屋受け接続部７５の斜辺と一般母屋接続部７８の斜辺とを略合致させて固着することにより形成したものである。
【００４６】
一般母屋延長金具６７の一般母屋受け金具６６への固定は、図１９に示すように、一般母屋受け金具６６の増築部側の一般母屋受け部７２の平部７０側面に一般母屋延長金具６７の一般母屋受け接続部７５をあてがい、一般母屋受け金具６６の一般母屋受け部７２に一般母屋延長金具６７の一般母屋受け接続部７５を締結具（図示せず）で締結して固定することにより行う。
【００４７】
このとき、一般母屋延長金具６７の一般母屋受け接続部７５の上縁辺の長さを、一般母屋延長金具６７を一般母屋受け金具６６に固定したときに、一般母屋受け接続部７５の斜辺が既存一般母屋６５の先端に当接する長さとしておくと、一般母屋延長金具６７の補強部８０に一般母屋受け金具６６の一般母屋受け部７２の既存隅木梁３と対向する縁辺が当接することとなり、一般母屋延長金具６７の一般母屋受け接続部７５が、既存一般母屋６５と一般母屋延長金具６７の補強部８０とで挟まれた状態となるので、一般母屋延長金具６７を一般母屋受け金具６６に安定良く設置することができる（図２０参照）。
【００４８】
これにより、図２０に示すように、一般母屋延長金具６７の一般母屋接続部材７９の折曲部８１が一般母屋受け金具６６の既存一般母屋６５の方の折曲部８２と略同一面に、かつ、その延長線上に配置される。
【００４９】
新規一般母屋６４の端部６８の一般母屋延長金具６７への接続は、図２０に示すように、一般母屋延長金具６７を一般母屋受け金具６６に固定した後、一般母屋延長金具６７の一般母屋接続部材７９に新規一般母屋６４の端部６８を載置し、該新規一般母屋６４の端部６８の貫通孔６９と一般母屋延長金具６７の一般母屋接続部７８の貫通孔７７とを締結具８で締結することにより行う。これにより、図１６に示すように、新規一般母屋６４が既存一般母屋６５の延長上に設置される。
【００５０】
以上により、図１に示すように、既存住宅の増築部側の母屋の設置方向が略９０°変更されて、新規一般母屋６４が既存一般母屋６５と同一面に配置される、即ち、既存一般母屋６５が増築部側へ延長されたこととなる。
【００５１】
第２に、既存住宅の桁側面の軒先に沿って、新たな軒先梁を追加する。軒先梁の設置の第１の実施形態は、図２１に示すように、既存住宅の桁側面の軒先に沿って、既存のトラス８３の両側方に軒先梁８４を設置し、且つ、増築部側に該軒先梁８４と略直交する方向へ直交梁８５を設置する必要がある場合についてであり、図２２に示す手順で、トラス軒先部８６に前処理を施し、図２５に示すような、ウエブ跨ぎ部８７と、軒先梁接続部８８と、直交梁接続部８９と、底部９０を有する軒先梁設置金具９１を、相隣接するトラス８３の軒先側の端部に、軒先梁接続部８８を相対向させてそれぞれ配設し、相対向する軒先梁接続部８８に、軒先梁８４の両端部を接続することにより行うものである。以下、更に詳細に説明する。
【００５２】
軒先梁設置金具９１をトラス８３の軒先側の端部に設置する際には、トラス軒先部８６、及びトラス８３の軒先側の端部に設けられたプレート９２が邪魔となるため、それらを切除する前処理工程が必要となる。この前処理工程の手順を示すのが図２２であり、各手順ごとの作業後の状態を表すのが図２３、及び図２４である。
【００５３】
手順１では、トラス軒先部８６を切除している。これは、トラス軒先部８６を適宜に短くしておくことにより、後の作業を行い易くするためである。ここで、図２３（ａ）は、この手順の作業前の状態を、図２３（ｂ）は作業後の状態を表している。尚、切断に用いる工具としては、例えばレシプロソー（不図示）を用いることができ、後述する切断作業についても同様である。
【００５４】
手順２では、トラス８３の軒先側の端部に、軒先に面して設けられている断面略逆Ｌ字型のプレート９２を取り除くために、該プレート９２とトラス８３との接合面に沿うように、トラス軒先部８６と共に、鉛直方向に切断している。このとき、プレート９２とトラス８３との溶接部を避け、プレート９２とトラス８３との接合面より若干内側で切断すると切断し易い。ここで、図２３（ｃ）は、この手順の作業後の状態を表している。
【００５５】
手順３では、トラス軒先部８６を、トラス８３のＣ型チャンネル９３先端部より若干軒先側において、トラス８３のウエブ９４に達するまで切断している。これは、軒先梁設置金具９１を設置するのに邪魔となる部分を除去するためである。ここで、図２３（ｄ）は、この手順の作業後の状態を表している。
【００５６】
手順４では、プレート９２の下部を軒先側から水平方向に切断することにより、プレート９２をトラス８３から切り離している。ここで、図２４（ａ）は、この手順の作業後の状態を表している。
【００５７】
手順５では、例えば、サンダー（不図示）等の工具を用いて研磨することにより、手順４においてトラス８３の下部に残ったプレート９２の残片を取り除いている。これにより、軒先梁設置金具９１の該部位への納まりが良くなる、という利点がある。ここで、図２４（ｂ）は、この手順の作業後の状態を表している。
【００５８】
手順６では、軒先側からトラス８３のウエブ９４の傾斜に沿って、手順３において切断した位置まで、トラス８３とトラス軒先部８６との接合面を切断し、トラス軒先部８６の軒先側部を除去している。ここで、図２４（ｃ）は、この手順の作業後の状態を表している。
【００５９】
図２５に示す軒先梁設置金具９１の底部９０から鉛直方向に立ちあがる、左右１対のウエブ跨ぎ部８７は、トラス８３のウエブ９４の厚さよりも若干広い間隔をおいて略平行に配置されている。軒先梁設置金具９１の設置に際しては、図２６及び図２７に示すように、ウエブ跨ぎ部８７が、前述のような前処理を施したトラス８３のウエブ９４の軒先側の端部を跨ぐように軒先梁設置金具９１をあてがい、トラス８３のウエブ９４の軒先側の端部が直交梁接続部８９に達するまで軒先梁設置金具９１を押し込むと共に、ウエブ跨ぎ部８７に設けた貫通孔９５、及び底部９０に設けた貫通孔９６において、ボルト締めでトラス８３、及び軸組９７に固定している。
【００６０】
軒先梁設置金具９１の両側部に突設された軒先梁接続部８８は、ウエブ跨ぎ部８７、及び底部９０の双方と略９０°の角度をなしており、図２８に示すように、該軒先梁接続部８８に、Ｈ型鋼である軒先梁８４のウエブ９８を当接させ、軒先梁接続部８８に設けられた貫通孔９９においてボルト締めで固定することにより、軒先梁８４を軒先に沿って設置している。
【００６１】
直交梁接続部８９は、ウエブ跨ぎ部８７、及び底部９０の双方と略９０°の角度をなして設けられ、軒先側面が平坦面に形成されている。これにより、軒先梁設置金具９１を設置したときに、該直交梁接続部８９の平坦面が軒先に面し、図２７、及び図２８に示すように、この平坦面に、Ｈ型鋼である直交梁８５の一端部を、接合板１００を介して接合させ、直交梁接続部８９に設けられた貫通孔１０１においてボルト締めで固定することにより、直交梁８５を容易に設置することができる。
【００６２】
また、軒先側に葺き下ろし梁１０２を設けて増築する場合も、既存住宅の桁側面の軒先に沿って、軒先梁８４の新たな設置が必要となる。この場合、トラス軒先部８６の前処理、軒先梁設置金具９１の配設、及び軒先梁８４の設置については直交梁８５の設置の場合と同様の手順で行い、図２９に示すように、直交梁接続部８９に葺き下ろし梁１０２の基部１０３を接合させ、ボルト締めにより固定するとよい。
【００６３】
次に、軒先梁の設置の第２の実施形態は、図２１に示すように、既存住宅の桁側面の軒先に沿って、既存のトラス８３の一側方に軒先梁８４を設置し、且つ、増築部側に該軒先梁８４と直交する方向へ直交梁８５を設置する必要がある場合についてであり、第１の実施形態と同様の手順でトラス軒先部８６に前処理を施し、図３０（ａ）に示すような、ウエブ跨ぎ部１０４と、軒先梁接続部１０５と、直交梁接続部１０６と、底部１０７を有する軒先梁設置金具１０８、又は、図３０（ｂ）に示すような、ウエブ跨ぎ部１０９と、軒先梁接続部１１０と、直交梁接続部１１１と、底部１１２を有する軒先梁設置金具１１３を、相隣接するトラス８３の軒先側の端部に、軒先梁接続部１０５、又は１１０を相対向させてそれぞれ配設し、相対向する軒先梁接続部１０５又は１１０に、軒先梁８４の両端部を接続することにより行うものである。以下、更に詳細に説明する。
【００６４】
ウエブ跨ぎ部１０４、及びウエブ跨ぎ部１０９は、第１の実施形態の軒先梁設置金具９１のウエブ跨ぎ部８７と同様の形状を有しており、トラス８３の軒先側の端部への設置方法は第１の実施形態と同様である。
【００６５】
軒先梁設置金具１０８の右側部に設けられた軒先梁接続部１０５は、ウエブ跨ぎ部１０４、及び底部１０７の双方と略９０°の角度をなしており、図３１に示すように、該軒先梁接続部１０５に、Ｈ型鋼である軒先梁８４のウエブ９８を当接させ、軒先梁接続部１０５に設けられた貫通孔１１４においてボルト締めで固定することにより、軒先に沿って軒先梁８４を設置している。また、軒先梁設置金具１１３は、その左側部に軒先梁接続部１１０を有しており、それ以外の構造、及び軒先梁８４の接続方法は軒先梁設置金具１０８と同様である。以上２つの軒先梁設置金具１０８と軒先梁設置金具１１３は、トラス８３と、新たに追加する軒先梁８４との位置関係に応じて使い分けるとよい。
【００６６】
直交梁接続部１０６、及び直交梁接続部１１１は、第１の実施形態の軒先梁設置金具９１の直交梁接続部８９と同一の形状を有し、第１の実施形態と同様の手順により、直交梁８５、又は葺き下ろし梁１０２を増築部側に設置することができる。
【００６７】
以上説明した２つの実施形態のいずれの場合についても、軒先梁８４の設置に際しては、図３２に示すように、トラス８３―トラス８３間、トラス８３―隅木梁１１５間、トラス８３―登り梁１１６間、あるいは登り梁１１６―隅木梁１１５間のいずれの場所に設置するのかにより、軒先梁８４の長手方向寸法、及び端部の形状を適宜変更する必要がある。特に、軒先梁８４の一端側に既存の隅木梁１１５がある場合には、軒先梁８４の隅木梁１１５側の端部に隅木梁接続梁１１７を設けることにより、軒先梁８４が隅木梁１１５に接触することを防止している。
【００６８】
隅木梁接続梁１１７は、図３３に示すように、垂直板１１８と、該垂直板１１８の上端縁に固定され、垂直板１１８と直交する上面板１１９と、垂直板１１８の下端縁に固定され、垂直板１１８と直交する底面板１２０と、該底面板１２０上に固定され、内部が空洞である略直方体形状を有する箱部１２１と、箱部１２１の内部に設けられた補強板１２２とを有しており、図３５に示すように、上面板１１９、底面板１２０、及び垂直板１１８の端部が接合板１２３を介して軒先梁８４に固定されると共に、箱部１２１の底面に設けた貫通孔１２４において、ボルト締めで軸組９７に固定されている。
【００６９】
上面板１１９、及び垂直板１１８は、略長方形の平板の一部を斜めに切り落とした形状となっている。これにより、上面板１１９、及び垂直板１１８が、隅木梁接続梁１１７の斜め上方から斜め下方へと伸びる隅木梁１１５と接触することを防止している。
【００７０】
隅木梁１１５と隅木梁接続梁１１７との接続部分において、増築部側に葺き下ろし梁１０２を設けて増築する必要がある場合、図３４に示すように、箱部１２１の増築部側側面に、葺き下ろし梁１０２の基部１０３を接合させ、箱部１２１の増築部側側面に設けた貫通孔１２５において、ボルト締めにより固定すればよい。また、葺き下ろし梁１０２を接続しない場合には、箱部１２１の増築部側側面は平坦面である必要は無く、箱部１２１の形状は、中空の略直方体に限られず、他の形状であっても構わない。
【００７１】
また、図３２に示すように、軒先梁８４の一端部を登り梁１１６に接続する必要がある場合には、既存の登り梁接続金具１２６等を用いて接続すればよい。
【００７２】
第３に、図３６に示すように、既存住宅と増築部の境界部分において生じる谷部に沿って設置する新規谷木梁１２７の上端部を既存住宅の既存隅木梁１２８に接続する。これは、入隅部１２９から、既存隅木梁１２８の立ち上がり角度αに略等しい角度で既存住宅側へ立ち上がると共に、既存隅木梁１２８と略９０°の角度をなす新規谷木梁１２７を設けるものであり、下端部を入隅部１２９に固定した新規谷木梁１２７の上端部に、図３７に示すような、谷木梁接続部材１３０と、第１棟母屋受け部材１３１と、補助部材１３２とを具備する谷木梁接続金具１３３の谷木梁取付け部１３４を固定し、該谷木梁取付け部１３４と略９０°の角度をなすと共に、既存隅木梁１２８の立ち上がり角度αに略等しい角度βで立ち上がる、谷木梁接続金具１３３の隅木梁取付け部１３５を既存隅木梁１２８の長手方向中間部に固定することにより、新規谷木梁１２７を既存隅木梁１２８に接続している。更に、谷木梁接続金具１３３の第１母屋受け部材１３１に第１棟母屋１３６の一端部を固定すると共に、既存の母屋受け金具１３７の起立部１３８に、第２棟母屋受け部材１３９と、取付け部材１４０と、垂直部材１４１と、補助部材１４２とを具備する棟母屋受け金具１４３を固定し、該棟母屋受け金具１４３の第２棟母屋受け部材１３９に第２棟母屋１４４の一端部を固定している。
【００７３】
ここで、本実施形態に示す既存隅木梁１２８は、図４０に示すように、２本のＣ型鋼１４５をその開口部が互いに外側を向くようにボルト締めで固定したものであって、図３６に示すように、既存住宅の大棟１４６の端部から、軒先の出隅１４７に向かって４５°の方向へ持ち出すように設けられている。また、新規谷木梁１２７についても、既存隅木梁１２８と同様の構造を有している。
【００７４】
谷木梁接続部材１３０は、図３７に示すように、両端部に貫通孔１４８が穿設された１枚のプレートを捻るようにして略９０°の角度をなすように折り曲げて形成し、その一方を隅木梁取付け部１３５、その他方を谷木梁取付け部１３４としている。また、隅木梁取付け部１３５の谷木梁取付け部１３４側の端部には、図４０に示すように、その上下に切欠部１４９が設けられている。これにより、谷木梁接続金具１３３の隅木梁取付け部１３５を既存隅木梁１２８に取り付ける際に、谷木梁取付け部１３４が既存隅木梁１２８と接触することを防止している。
【００７５】
第１棟母屋受け部材１３１は、貫通孔１５０が穿設された１枚のプレートを略９０°の角度をなすように折曲げて形成したものであり、その折曲げ部１５１が、略水平となり、且つ谷木梁接続部材１３０の谷木梁取付け部１３４と略４５°の角をなすように、谷木梁接続金具１３３の谷木梁取付け部１３４上に固着されている。これにより、図３９に示すように、谷木梁接続金具１３３を設置した際に、折曲げ部１５１が新規大棟１５２と略平行となり、該第１棟母屋受け部材１３１上に、木角材である第１棟母屋１３６の一端部を載置し、ボルト締めにより固定することで、新規大棟１５２頂部に、新規大棟１５２と略平行な第１棟母屋１３６を新たに設置している。
【００７６】
補助部材１３２は、略三角形の形状を有し、その一辺が谷木梁取付け部１３４の側部に固着されると共に、他の一辺が第１棟母屋受け部材１３１の底面に固着されており、谷木梁接続金具１３３を構造的に補強する役割を果たしている。
【００７７】
谷木梁接続金具１３３の設置に際しては、図３９、及び図４０に示すように、新規谷木梁１２７を構成する２本のＣ型鋼１４５間にできた間隙に、谷木梁接続金具１３３の谷木梁取付け部１３４を差し込み、ボルト締めにより固定すると共に、隅木梁取付け部１３５を、既存隅木梁１２８のウエブ１５３に当接させ、ボルト締めにより固定している。
【００７８】
図３８に示すように、棟母屋受け金具１４３は、垂直部材１４１の一方の側面に第２棟母屋受け部材１３９を固着すると共に、垂直部材１４１の他方の側面に、中央部に補強板１５４を有する取付け部材１４０を固着することにより形成している。更に、略台形の補助部材１４２の一辺を垂直部材１４１に固着し、他の２辺を取付け部材１４０に固着することにより、垂直部材１４１と取付け部材１４０との固着部の弱さを補強している。
【００７９】
取付け部材１４０は、貫通孔１５５が穿設された１枚のプレートを、第１折曲げ部１５６、及び第２折曲げ部１５７の２ヶ所において、互いに逆方向へ折曲げることにより形成したものであり、断面略Ｓ字型の形状を有している。ここで、第１折曲げ部１５６においては、９０°の角度をなすように折曲げてある。これにより、既存の母屋受け金具１３７の折曲げ部１５８に、略合致する形状となっている。
【００８０】
第２棟母屋受け部材１３９は、一端部に貫通孔１５９が穿設された１枚のプレートを、略９０°の角度をなすように第３折曲げ部１６０において折曲げて形成したものであり、断面略Ｌ字型の形状を有している。ここで、該第３折曲げ部１６０は、取付け部材１４０の第２折曲げ部１５７と略９０°の角度をなしている。
【００８１】
棟母屋受け金具１４３の既存の母屋受け金具１３７への設置に際しては、図３９、及び図４１に示すように、取付け部材１４０の第１折曲げ部１５６と既存の母屋受け金具１３７の折曲げ部１５８を略合致させるように、取付け部材１４０を既存の母屋受け金具１３７の下方からあてがい、ボルト締めにより固定している。これにより、第２棟母屋受け部材１３９の第３折曲げ部１６０が、既存の母屋受け金具１３７の折曲げ部１５８と略９０°、すなわち新規大棟１５２と略平行となり、該第２棟母屋受け部材１３９上に、木角材である第２棟母屋１４４の一端部を載置し、ボルト締めにより固定することで、新規大棟１５２頂部に、新規大棟１５２と略平行な第２棟母屋１４４を新たに設置している。このように、既存の母屋受け金具１３７を利用して棟母屋受け金具１４３を設置することで、棟母屋受け金具１４３を既存隅木梁１２８上に直接設置する場合に較べて、ボルト穴を空ける手間を削減できるという利点がある。
【００８２】
本実施形態においては、新規大棟１５２頂部の新規大棟１５２に対して略対称な位置に、第１棟母屋１３６、及び第２棟母屋１４４を設置する場合について述べたが、新規大棟１５２の形態はこれに限られたものでは無く、新規大棟１５２頂部を跨ぐ形状の１本の棟木（不図示）を設置する形態であっても構わない。この場合、本実施形態と同様に、谷木梁接続金具１３３と、棟母屋受け金具１４３を設置し、棟木の一方の側部を、谷木梁接続金具１３３の第１棟母屋受け部材１３１上に載置してボルト締めで固定すると共に、棟木の他方の側部を、棟母屋受け金具１４３の第２棟母屋受け部材１３９上に載置してボルト締めで固定する。
【００８３】
【発明の効果】
以上説明したように、請求項１に記載の小屋組の増築施工法によれば、既存住宅の小屋組を全面的に解体することなく、既存住宅の既存母屋を全て撤去することなく、既存住宅の増築部側の母屋の設置方向を略９０°変更して増築部の新規母屋を既存住宅の既存母屋と略同一面に配置することができると共に、既存住宅と増築部の境界部分に生じる谷部に沿って設置する新規谷木梁の上端部を既存隅木梁の長手方向中間部に接続することができるという利点がある。
【００８４】
また、既存の小屋組を全面的に解体しないので、施工期間を短縮することができるだけでなく、労力を削減しながら作業性を向上させることができるという利点がある。
【００８５】
更に、各部材の接続を締結具で締結することにより行うので、作業性の向上を図ることができるだけでなく、溶接接合と比べて、十分な安全性を確保することができるという利点がある。
【００８６】
更にまた、既存の小屋組を全面的に解体しないので、産業廃棄物の発生量を減少させることができるだけでなく、これを運搬して処理するための費用を削減することができるという利点がある。
【００８７】
そして、施工期間の短縮化により顧客に不便を強いる期間が短くなり、顧客の負担を軽減させることができるという利点がある。
【００８８】
請求項２に記載の小屋組の増築施工法によれば、上述の効果に加えて、既存住宅の小屋組や軒裏等を全面的に解体することなく、既存住宅の軒先に沿って軒先梁を新たに設置することができるという利点がある。
【００８９】
また、既存住宅の小屋組や軒裏等の全面的な解体が不要となることで、省力化、及び施工期間の大幅な短縮を図ることができると共に、従来、産業廃棄物として処理していた、解体時に生じる不要なトラスが発生しなくなることで、処理に要するコストを削減することができるという利点がある。
【図面の簡単な説明】
【図１】本発明の実施の形態に係る小屋組全体の概略を示す平面図である。
【図２】軒先母屋の実施形態を示す平面図である。
【図３】軒先母屋受け金具及び軒先母屋延長金具を示す斜視図である。
【図４】軒先母屋延長金具の軒先母屋受け金具への固定手順を示す説明図である。
【図５】新規軒先母屋の軒先母屋延長金具への接続手順を示す説明図である。
【図６】第１母屋の実施形態を示す平面図である。
【図７】第１母屋受け金具を示す平面図である。
【図８】第１母屋延長金具を示す斜視図である。
【図９】第１母屋延長金具の第１母屋受け金具への固定手順を示す説明図である。
【図１０】新規第１母屋の第１母屋延長金具への接続手順を示す説明図である。
【図１１】第２母屋の実施形態を示す平面図である。
【図１２】第２母屋受け金具を示す平面図である。
【図１３】第２母屋延長金具を示す斜視図である。
【図１４】第２母屋延長金具の第２母屋受け金具への固定手順を示す説明図である。
【図１５】新規第２母屋の第２母屋延長金具への接続手順を示す説明図である。
【図１６】一般母屋の実施形態を示す平面図である。
【図１７】一般母屋受け金具を示す平面図である。
【図１８】一般母屋延長金具を示す斜視図である。
【図１９】一般母屋延長金具の一般母屋受け金具への固定手順を示す説明図である。
【図２０】新規一般母屋の一般母屋延長金具への接続手順を示す説明図である。
【図２１】軒先梁の設置の実施形態に係る小屋組の屋根伏せを示す図である。
【図２２】軒先梁の設置の第１の実施形態に係るトラス軒先部への前処理の流れを説明するための説明図である。
【図２３】軒先梁の設置の第１の実施形態に係るトラス軒先部への前処理を各手順ごとに説明するための説明図である。
【図２４】軒先梁の設置の第１の実施形態に係るトラス軒先部への前処理を各手順ごとに説明するための説明図である。
【図２５】軒先梁の設置の第１の実施形態に係る軒先梁設置金具の概略斜視図である。
【図２６】軒先梁の設置の第１の実施形態に係る軒先梁設置金具の設置方法を説明するための概略斜視図である。
【図２７】軒先梁の設置の第１の実施形態に係る軒先梁設置金具の設置状態を示す概略側面図である。
【図２８】軒先梁の設置の第１の実施形態に係る軒先梁設置金具と軒先梁の接続部分を示す概略平面図である。
【図２９】軒先梁の設置の第１の実施形態に係る軒先梁設置金具と葺き下ろし梁の接続部分を示す概略側面図である。
【図３０】軒先梁の設置の第２の実施形態に係る軒先梁設置金具の概略斜視図である。
【図３１】軒先梁の設置の第２の実施形態に係る軒先梁設置金具と軒先梁の接続部分を示す概略平面図である。
【図３２】軒先梁の設置の実施形態に係るトラス、隅木梁、及び登り梁と、軒先梁の接続部分について説明するための概略平面図である。
【図３３】隅木梁接続梁の概略斜視図である。
【図３４】本発明の実施形態に係る隅木梁接合梁と葺き下ろし梁の接合部分を示す概略平面図である。
【図３５】本発明の実施形態に係る隅木梁接合梁と隅木梁の接合部分を示す概略斜視図である。
【図３６】新規谷木梁の既存隅木梁への接続の実施形態に係る小屋組の屋根伏せを示す図である。
【図３７】谷木梁接続金具の概略斜視図である。
【図３８】棟母屋受け金具の概略斜視図である。
【図３９】谷木梁接続金具、及び棟母屋受け金具の設置状態を示す概略平面図である。
【図４０】新規谷木梁と既存隅木梁の接続部分を示す概略側面図である。
【図４１】棟母屋受け金具を既存の母屋受け金具に取付けた状態を説明するための概略側面図である。
【符号の説明】
１　新規軒先母屋
２　既存軒先母屋
３　既存隅木梁
４　既存軒先梁
２０　新規第一母屋
２１　既存第一母屋
４２　新規第２母屋
４３　既存第２母屋
６４　新規一般母屋
６５　既存一般母屋
８３　トラス
８４　軒先梁
１２７　新規谷木梁
【図１】
2004027756.tif 000003
【図２】
2004027756.tif 000004
【図３】
2004027756.tif 000005
【図４】
2004027756.tif 000006
【図５】
2004027756.tif 000007
【図６】
2004027756.tif 000008
【図７】
2004027756.tif 000009
【図８】
2004027756.tif 000010
【図９】
2004027756.tif 000011
【図１０】
2004027756.tif 000012
【図１１】
2004027756.tif 000013
【図１２】
2004027756.tif 000014
【図１３】
2004027756.tif 000015
【図１４】
2004027756.tif 000016
【図１５】
2004027756.tif 000017
【図１６】
2004027756.tif 000018
【図１７】
2004027756.tif 000019
【図１８】
2004027756.tif 000020
【図１９】
2004027756.tif 000021
【図２０】
2004027756.tif 000022
【図２１】
2004027756.tif 000023
【図２２】
2004027756.tif 000024
【図２３】
2004027756.tif 000025
【図２４】
2004027756.tif 000026
【図２５】
2004027756.tif 000027
【図２６】
2004027756.tif 000028
【図２７】
2004027756.tif 000029
【図２８】
2004027756.tif 000030
【図２９】
2004027756.tif 000031
【図３０】
2004027756.tif 000032
【図３１】
2004027756.tif 000033
【図３２】
2004027756.tif 000034
【図３３】
2004027756.tif 000035
【図３４】
2004027756.tif 000036
【図３５】
2004027756.tif 000037
【図３６】
2004027756.tif 000038
【図３７】
2004027756.tif 000039
【図３８】
2004027756.tif 000040
【図３９】
2004027756.tif 000041
【図４０】
2004027756.tif 000042
【図４１】
2004027756.tif 000043